(57)【要約】      （修正有）【課題】  収納されたごみ袋を確実に保持拘束して大量のごみの収納を可能にするものでありながら、ごみ袋の取出しをも円滑に行えるごみ袋収納具を提供する。【解決手段】  フレコンパック等のごみ袋２０を収納してその上縁部２１を保持拘束する保持枠６を備えたごみ袋収納具１において、前記保持枠６を、ごみ袋収納具１の上部開口部３０に迫り出して配設するとともに、該開口部３０から退避可能に構成したことにより、上部開口部３０に迫り出して配設された保持枠６が、収納されたごみ袋２０の上縁部２１を確実に保持拘束して大量のごみの収納を可能にするものでありながら、ごみ袋２０を取り出す際には保持枠６を退避させることでごみ袋２０を円滑に取り出すことができる。【選択図】  図１
2007145489.tif 000002
【特許請求の範囲】
【請求項１】
フレコンパック等のごみ袋を収納してその上縁部を保持拘束する保持枠を備えたごみ袋収納具において、前記保持枠を、ごみ袋収納具の上部開口部に迫り出して配設するとともに、該開口部から退避可能に構成したことを特徴とするごみ袋収納具。
【請求項２】
前記保持枠に対するごみ袋の上縁部の保持拘束を、緊締バンドにより行うことを特徴とする請求項１に記載のごみ袋収納具。
【請求項３】
前記保持枠に対するごみ袋の上縁部の保持拘束を、押しばねにより押圧自在な拘束枠により行うことを特徴とする請求項１に記載のごみ袋収納具。
【請求項４】
前記保持枠の退避回動角度を規制するストッパー部材を設置したことを特徴とする請求項１から３のいずれかに記載のごみ袋収納具。
【請求項５】
前記ごみ袋収納具が、下部にフォーックリフト用孔を備えたごみ箱であることを特徴とする請求項１から４のいずれかに記載のごみ袋収納具。
【請求項６】
前記ごみ袋収納具が、下部にキャスタを配設した台車から構成されたことを特徴とする請求項１から４のいずれかに記載のごみ袋収納具。
【請求項７】
前記ごみ袋収納具が、折畳み自在に構成された交差枠体から構成されたことを特徴とする求項１から４のいずれかに記載のごみ袋収納具。
【発明の詳細な説明】
【技術分野】
【０００１】
本発明は、フレコンパック等のごみ袋を収納してその上縁部を保持拘束する保持枠を備えたごみ袋収納具に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされている。特に工場等の事業所においては、大量に多種類のごみが出ることから、比較的大型のごみ収納具が採用されている。そこでは、ごみの分別の前段階としてあるいは分別された大量のごみの保管のために、フレコンパック等の大型のごみ袋が使用されている。一般に、ごみ箱等のごみ収納具では、廃棄収納されるごみの種類によってはごみ箱自体が汚れることもあって、汚損防止や清掃の手間の省力化のために、ごみ箱等の収納具に対してごみ袋を介してごみを廃棄収納することが提案されて行われている（例えば下記特許文献１参照）。
【特許文献１】特開２００２−３７０８１号公報（公報請求項１から３参照）
【発明の開示】
【発明が解決しようとする課題】
【０００３】
前記特許文献１に開示されたごみ箱は、図６に示すように、外容器３１内の間仕切り３２に切込みを入れ、その切込みにおいて１枚のごみ袋で２つの収容部に区分できるようにし、仕切られた一方の収容部に投入口を小さめに開け、開閉時は留め金３６を使用する中蓋３３を付け、外容器３１に引出し３５を付けたことを特徴とするものである。このような構成によって、容易に圧縮できるものとできないものの２種類に分別収容可能なのに、ごみ袋は仕切られることなく１枚で対応できてごみ袋の節約が可能となり、留め金３６により留められた中蓋３３によりごみを大量に詰め込むことができる。また、引出し３５にはごみ処理に必要な小物をしまっておくことができる。
【０００４】
しかしながら、前記従来のごみ箱は比較的小型であり、運搬が容易で設置にスペースを割かれることもないものの、ごみ袋３７の上縁部を外容器３１の上部開口部に対して保持拘束するための何等の手段が講じられておらず、大量のごみを収容することによってごみ袋３７が下にずり落ちる虞れがあり、収容できるごみの容量に限界があった。そこで、ごみ箱等のごみ袋収納具の上部開口部にごみ袋上縁部保持枠を設置することも考えられるが、詰め込まれた大量のごみによりごみ袋３７は肥大化して、ごみ袋３７を外容器３１から円滑に取り出すことができなくなる虞れがあった。
【０００５】
そこで本発明は、前記従来のごみ箱等のごみ袋収納具の諸課題を解決して、収納されたごみ袋を確実に保持拘束して大量のごみの収納を可能にするものでありながら、ごみ袋の取出しをも円滑に行えるごみ袋収納具を提供することを目的とする。
【課題を解決するための手段】
【０００６】
そのため本発明は、フレコンパック等のごみ袋を収納してその上縁部を保持拘束する保持枠を備えたごみ袋収納具において、前記保持枠を、ごみ袋収納具の上部開口部に迫り出して配設するとともに、該開口部から退避可能に構成したことを特徴とする。また本発明は、前記保持枠に対するごみ袋の上縁部の保持拘束を、緊締バンドにより行うことを特徴とする。また本発明は、前記保持枠に対するごみ袋の上縁部の保持拘束を、押しばねにより押圧自在な拘束枠により行うことを特徴とする。また本発明は、前記保持枠の退避回動角度を規制するストッパー部材を設置したことを特徴とする。また本発明は、前記ごみ袋収納具が、下部にフォークリフト用孔を備えたごみ箱であることを特徴とする。また本発明は、前記ごみ袋収納具が、下部にキャスタを配設した台車から構成されたことを特徴とする。また本発明は、前記ごみ袋収納具が、折畳み自在に構成された交差枠体から構成されたことを特徴とするもので、これらを課題解決のための手段とするものである。
【発明の効果】
【０００７】
本発明では、フレコンパック等のごみ袋を収納してその上縁部を保持拘束する保持枠を備えたごみ袋収納具において、前記保持枠を、ごみ袋収納具の上部開口部に迫り出して配設するとともに、該開口部から退避可能に構成したことにより、上部開口部に迫り出して配設された保持枠が、収納されたごみ袋の上縁部を確実に保持拘束して大量のごみの収納を可能にするものでありながら、ごみ袋を取り出す際には保持枠を退避させることでごみ袋を円滑に取り出すことができる。
【０００８】
また、前記保持枠に対するごみ袋の上縁部の保持拘束を、緊締バンドにより行う場合は、別途用意した緊締バンドによりごみ袋の上縁部を保持枠に対して確実に保持拘束できるので、ごみ袋収納具自体の構造が簡素化される。さらに、前記保持枠に対するごみ袋の上縁部の保持拘束を、押しばねにより押圧自在な拘束枠により行う場合は、拘束枠自体の押しばねによる復元力によって、ごみ袋の上縁部を保持枠に押し付けて保持させるので、別途の緊締保持部材を準備する必要がなく、紛失の虞れもない。
【０００９】
さらにまた、前記保持枠の退避回動角度を規制するストッパー部材を設置した場合は、保持枠が過度に退避することがないように構成することができ、保持枠を容易に保持使用位置に復帰させることが可能となる。また、前記ごみ袋収納具が、下部にフォークリフト用孔を備えたごみ箱である場合は、大容量のごみ袋収納具であっても、フォークリフト車を用いて容易に搬送できる。
【００１０】
さらに、前記ごみ袋収納具が、下部にキャスタを配設した台車から構成された場合は、複数個のごみ袋収納具を台車に設置する等して、大容量の分別ごみ袋収納具として容易に移動することが可能となる。さらにまた、前記ごみ袋収納具が、折畳み自在に構成された交差枠体から構成された場合は、大容量のごみ袋収納具であっても、不使用時にはコンパクトに折り畳んで格納しておくことができる。
【発明を実施するための最良の形態】
【００１１】
以下、本発明の実施例を図面に基づいて詳細に説明する。図１は本発明のごみ袋収納具の第１実施例を示す全体斜視図および要部拡大図、図２は本発明のごみ袋収納具の第２実施例を示す要部斜視図および拘束枠による保持拘束状態説明図、図３は本発明のごみ袋収納具の第３実施例を示す全体斜視図、図４は本発明のごみ袋収納具の第４実施例を示す全体斜視図および要部拡大図、図５は本発明のごみ袋収納具の第５実施例を示す全体斜視図である。本発明のごみ袋収納具の基本的な構成は、図１に示すように、フレコンパック等のごみ袋２０を収納してその上縁部２１を保持拘束する保持枠６を備えたごみ袋収納具１において、前記保持枠６を、ごみ袋収納具１の上部開口部３０に迫り出して配設するとともに、該開口部３０から退避可能に構成したことを特徴とする。
【実施例１】
【００１２】
図１は本発明のごみ袋収納具の第１実施例を示す全体斜視図および要部拡大図である。本実施例のものは、図１（Ｂ）に示すように、ごみ袋収納具１の本体部がパイプ状体から構成されたものである。図示の例は４角形ボックス状体の稜線部のみにパイプ状体を配設して構成され、その余は空間にて構成される。ごみ袋収納具１の形状は平面視で方形を呈するが、例えば円形（この場合、保持枠６は円弧状とされる））や多角形であってもよい。ごみ袋収納具１の平面視形状を画定する４角形の上部枠体２の周囲寸法は、内部に収納されるフレコンパック等のごみ袋２０の上部縁２１の周囲より僅かに大きく形成される。
【００１３】
上部枠体２の各中間部には、それぞれごみ袋２０の上部縁２１を保持拘束するための保持枠６が水平軸回りに回動退避自在（太矢印のように）に設置される。図１（Ｃ）に示すように、４隅近傍にて切除されたパイプ状の上部枠体２に芯材３（一点鎖線）が圧入されており、該芯材３にパイプ状の回動筒４が回動自在に嵌合される。回動筒４には支持ブラケット５、５を介して保持枠６が回動筒４と略平行でやや上位位置（使用状態で）に設置される。したがって、支持ブラケット５は略Ｌ字形に構成されるとよい。上部枠体２の切除部における回動筒４との対向面には、保持枠６すなわち回動筒４の退避回動角度を規制するストッパー部材が形成される。上部枠体２側に所定円周角度範囲で軸方向に突出するストッパー突起２Ａが形成され、これに対応する回動筒４側にも所定円周角度範囲で軸方向に突出する規制突起４Ａが形成される。これらによって、回動筒４が略水平状態（図１（Ｃ）から図１（Ｂ）の太矢印で示した略垂直よりやや外側に倒れた状態の、ごみ袋収納具１の上部開口部３０から退避した状態まで回動し得るものである。
【００１４】
図１（Ａ）に示したものは別途用意した緊締バンド１３であり、本発明のごみ袋収納具１と組み合わされて使用される。バンド本体１３の一端部には緊締具１５が取り付けられ、他端部にはラチェット爪１４が形成される。緊締具１５のラチェット孔２９にバンド他端部のラチェット爪１４を挿入し、緊締具１５に軸支されたハンドル１６を正回動することにより、緊締具１５内に軸支された図示省略のウォームを回動させて前記ラチェット爪１４を進行させ、緊締バンド１３本体を緊締させる。ハンドル１６を逆回動させることで、ラチェット爪１４を後退させて緊締バンド１３を弛めて開放する。以上のような構成の緊締バンド１３を用いて、ごみ袋収納具１内に収容されて全周の４つの保持枠６に対して係止されたごみ袋２０の折り返された上縁部２１を緊締して保持拘束することができる。  
【００１５】
以上のように構成されているので、ごみ袋収納具１の上部開口部３０に迫り出して配設された保持枠６が、収納されたごみ袋２０の上縁部２１を確実に保持拘束して重量の大きな大量のごみの収納を可能にするものでありながら、ごみ袋２０を取り出す際にはごみ袋２０自身が保持枠６を押し上げて退避させることでごみ袋２０を円滑に取り出すことができる。しかも、別途用意した緊締バンド１３によりごみ袋２０の上縁部２１を保持枠に対して確実に保持拘束できるので、ごみ袋収納具１自体の構造が簡素化される。さらに、前記保持枠６の退避回動角度を規制するストッパー部材２Ａ、４Ａが設置されているので、保持枠６が過度に退避することがなく、保持枠６を容易に保持使用位置に復帰させることが可能となる。
【実施例２】
【００１６】
図２は本発明のごみ袋収納具の第２実施例を示す要部斜視図および拘束枠による保持拘束状態説明図である。本実施例では、前記第１実施例の別途用意する緊締バンド１３に代えて、ごみ袋収納具１に備え付けの拘束枠８を用いて、収納されたごみ袋２０の上縁部２１を保持枠６に対して押し付け保持拘束するものである。図２（Ａ）に示すように、上部枠体２に圧入された芯材３に回動自在に嵌合された回動筒４の略中間部に、拘束枠８の回動中心となる回動筒７を配設したものである。拘束枠８と回動筒７との間は、拘束枠８を保持枠６方向に付勢する押しばね１０が介設されたアーム部材９により連結されている。図２（Ｂ）に示すように、拘束枠８の上部に設置された把手１１を掴んで矢印のように保持枠６方向に押し付けると、保持枠６までの長さより僅かに長く構成されたアーム部材９が押しばね１０の復元力に抗して短縮され、図２（Ｃ）に示すように、拘束枠８が保持枠６を乗り越え、ごみ袋２０の折り返された上縁部２１を迷路効果により確実に保持枠６と拘束枠８とにより保持拘束することができる。本実施例では、別途の緊締保持部材を準備する必要がなく、紛失の虞れもない。なお、前記拘束枠８は複数のアーム部材９により支持されてもよいし、１つの保持枠６に対して複数個の拘束枠８を設置してもよい。
【実施例３】
【００１７】
図３は本発明のごみ袋収納具の第３実施例を示す全体斜視図である。本実施例のものは、ごみ袋収納具１が、下部にキャスタ１８、１８を配設した台車１７から構成されたもので、複数個のごみ袋収納具１、１・・を台車１７に設置する等して、大容量の分別ごみ袋収納具として容易に移動することを可能にした。図示の例では、パイプ状体から構成される前記第１実施例のものと類似したごみ袋収納具１を３個併置して１つの台車を構成した。図示の例では保持枠６を左右上部両側にのみ配設したが、図１の例と同様に各ごみ袋収納具１の前後上部にも配設してよい。ごみ袋収納具１の上部枠体２における保持枠６の構成および挙動は前記図１の例と同様なので説明は省略する。
【実施例４】
【００１８】
図４は本発明のごみ袋収納具の第４実施例を示す全体斜視図および要部拡大図である。本実施例のものは、ごみ袋収納具１として、下部にフォークリフト用孔２５、２５を備えたごみ箱を採用したものである。４つの側面は板状体から構成され、下部にはフォークリフト用孔２５、２５が水平方向に穿設された台座２４が設置される。ごみ箱を構成するごみ袋収納具１の４つの各上面２３には、一対の軸受具２２、２２によって保持枠６の支持ブラケット５、５が回動自在に配設される。図の白矢印で示した拡大図にて理解されるように、保持枠６の支持ブラケット５は、ごみ袋収納具１の上面２３により規制される略水平状の使用位置から軸受具２２に固定されたストッパーピン２６により規制されるところの略垂直よりやや外側に倒れた状態まで退避し得る。
【００１９】
このような構成により、前記図１の緊締バンド１３と組み合わせて、図示省略のごみ袋の２０の上縁部２１を保持枠６に効果的に確実に保持拘束させることが可能でありながら、満杯になって重量のある大量のごみを収納したごみ袋２０を取り出す際には、ごみ箱の上部開口部３０から４つの保持枠６がごみ袋２０により押し広げられて強制的に退避するので、比較的容易かつ円滑にごみ袋２０を取り出すことができる。しかも、大容量のごみ袋収納具１であっても、ごみ箱の下部の台座２４に形成したフォークリフト用孔２５、２５を利用しフォークリフト車を用いて容易に搬送できる。
【実施例５】
【００２０】
図５は本発明のごみ袋収納具の第５実施例を示す全体斜視図である。本実施例のものは、ごみ袋収納具１として、折畳み自在に構成された交差枠体から構成したものである。パイプ状体からなるほぼ４角形の交差枠体１Ａ、１Ｂをそれらの略中央部の枢着部２７、２７にて折畳み自在に構成するとともに、接地部の下部同士を張設ベルト２８、２８にて連結して使用状態を維持するように構成した。交差枠体１Ａ、１Ｂの上部の上部枠体２における保持枠６および拘束枠８の構造および挙動は前記図２のものと同様であるので、詳細な説明は省略する。
【００２１】
このような構成により、本実施例のものでは、張設ベルト２８を最大に伸ばして張設した最大幅での使用時にも、図示省略のごみ袋の２０の上縁部２１を拘束枠８によって保持枠６に押し付け確実に保持拘束させることが可能でありながら、満杯になって重量のある大量のごみを収納したごみ袋２０を取り出す際には、最大幅になった交差枠体１Ａ、１Ｂの上部開口部３０から、対向する保持枠６をごみ袋２０により押し広げて強制的に退避させるので、比較的容易かつ円滑にごみ袋２０を取り出すことができる。しかも、交差枠体１Ａ、１Ｂから構成されるごみ袋収納具１が大容量であっても、不使用時にはコンパクトに折り畳んで格納しておくことができる。
【００２２】
以上、本発明の実施例について説明してきたが、本発明の趣旨の範囲内にて、ごみ袋収納具の形状（箱状体、箱状体の稜線部分からなる骨格状体、平面視形状についても方形の他、円形、多角形状等適宜の形状が採用され得る）、形式および材質（プラスチック、木材、金属等）、フレコンパック等のごみ袋の形状（ごみ袋収納具の平面視形状に適合させてやや小さい方形の他、円形、多角形状等適宜の形状が採用され得る）、形式および材質（ポリ袋やビニール袋等のプラスチック類、布、紙等適宜のものが採用され得る）、保持枠の形状（丸棒、丸管、その断面についても円形の他、ごみ袋の上縁部が滑りにくい三角形状等にしたり、高摩擦部を形成してもよい）、形式およびごみ袋収納具に対する退避回動形態（芯材に対する嵌合回動、軸受具を介した軸支回動等）、保持枠を支持する支持ブラケットの形状（ごみ袋収納具の上面から保持枠を上方に位置させるために、Ｌ字形ブラケットの他、Ｃ字形等でもよい）、緊締バンドの形状、形式（実施例の緊締バンドの他、ゴムバンド、ひも状体等でもよい）等については適宜選定できる。
【００２３】
また、拘束枠の形状（丸棒、丸管、その断面についても円形の他、ごみ袋の上縁部が滑りにくい三角形状等にしたり、高摩擦部を形成してもよい。拘束枠に対するアーム部材の数、長さの程度、押しばねの形式等）、形式およびそのごみ袋収納具への回動形態（保持枠の回動軸である芯材への嵌合の他、ごみ袋収納具の上部への軸支等でもよい）、保持枠の退避回動角度を規制するストッパー部材の形状、形式（筒部材同士のの対向端面間の突起によるものやストッパーピンの配設等）、ごみ袋収納具であるごみ箱に対するフォークリフト用孔を備えた台座の設置形態（図１のパイプ状体の下部にフォークリフト用孔を備えた台座を設けてもよい）、キャスタを配設した台車の形状、形式（台車に対して設置するごみ袋収納具の数、種類（パイプ状体の他、箱状体でもよい））、設置形態（載置しての固定、台車と一体の搬送具としてもよい）、交差枠体から構成された折畳み形式のごみ袋収納具の形状（丸棒、パイプ形状、方形断面棒状体等）、形式および材質（プラスチック、木材、竹材、金属等）等についても適宜選定できる。
【図面の簡単な説明】
【００２４】
【図１】本発明のごみ袋収納具の第１実施例を示す全体斜視図および要部拡大図である。
【図２】本発明のごみ袋収納具の第２実施例を示す要部斜視図および拘束枠による保持拘束状態説明図である。
【図３】本発明のごみ袋収納具の第３実施例を示す全体斜視図である。
【図４】本発明のごみ袋収納具の第４実施例を示す全体斜視図および要部拡大図である。
【図５】本発明のごみ袋収納具の第５実施例を示す全体斜視図である。
【図６】従来のごみ袋収納型のごみ箱の全体斜視図である。
【符号の説明】
【００２５】
１      ごみ袋収納具
２      上部枠体
２Ａ    ストッパー突起
３      芯材
４      回動筒
４Ａ    規制突起
５      支持ブラケット
６      保持枠
７      回動筒
１３      緊締バンド
２０      ごみ袋
２１      上縁部
【図１】
2007145489.tif 000003
【図２】
2007145489.tif 000004
【図３】
2007145489.tif 000005
【図４】
2007145489.tif 000006
【図５】
2007145489.tif 000007
【図６】
2007145489.tif 000008